(57)【要約】      （修正有）【課題】バイクに騎乗するのに適した靴の雨避けを提供する。【解決手段】各々、シートの外縁に、弧状の外大弧と、外大弧に対向する弧状の内小弧と、外大弧と内小弧とを接続する直線部と、直線部に対向して外大弧の他端から延びる直線状の対接部とを有する第一、第二靴覆い面と第一靴覆い面の対接部に近い個所に設けられ、面ファスナーを有する帯体と、第二靴覆い面の対接部に近い個所に設けられる面ファスナーと、シート外縁に、半弧状の辺と、その半弧状の辺の両端を接続する直線状の辺とを有する第三靴覆い面と、を備える。第一、第二靴覆い面の直線部同士を結合し、第一、第二靴覆い面の外大弧の直線部に近い個所と、第三靴覆い面の半弧状の辺とを結合することで、第一、第二、第三靴覆い面とを一体に成形する。【選択図】図１
0003170303.tif 000002
【実用新案登録請求の範囲】
【請求項１】
四辺形に現れ、そのうち二つの対辺は弧形の外大弧と内小弧に現れ、別の二つの対辺はそれぞれ直線形の固接辺と対接辺に現われ、第一靴覆い面の対接辺に近い個所には少なくとも一つの帯体が設けられ、かつその帯体には毛帯を備える、第一靴覆い面と、
四辺形に現れ、そのうち二つの対辺は弧形の外大弧と内小弧に現れ、別の二つの対辺はそれぞれ直線形の固接辺と対接辺に現われ、第二靴覆い面の対接辺に近い個所には第一靴覆い面の帯体の数に対応するせん毛が設けられ、せん毛と毛帯は接着固定することができる、第二靴覆い面と、
一辺は半弧状に現われ、他の一辺は直線に現われる、第三靴覆い面と、を含み、
前記第一靴覆い面、前記第二靴覆い面及び前記第三靴覆い面を熱圧着によって短Ｌ形の靴の雨避けに一体成型することを特徴とする靴の雨避け。
【請求項２】
前記靴の雨避けを組み合わせる場合、第一靴覆い面の固接辺と第二靴覆い面の固接辺は固定結合することができ、第三靴覆い面の半弧面はそれぞれ第一靴覆い面の外大弧の固接辺に近い個所、及び第二靴覆い面の外大弧の固接辺に近い個所と結合することを特徴とする請求項１記載の靴の雨避け。
【請求項３】
前記結合方式は縫い付け、粘着、止め接ぎ、熱圧着を含むことを特徴とする請求項１記載の靴の雨避け。
【請求項４】
前記帯体及びせん毛はそれぞれマジックテープ（登録商標）であることを特徴とする請求項１記載の靴の雨避け。
【請求項５】
前記第一靴覆い面、第二靴覆い面及び第三靴覆い面は薄いプラスチックのシートであることを特徴とする請求項１記載の靴の雨避け。
【考案の詳細な説明】
【技術分野】
【０００１】
本考案は靴を保護する雨避け覆いに関し、それは(靴の雨避け)に命名され、それの最大の違いは加工がより簡単便利であり、履き脱ぎと収納も容易で、特に外形は多くの人々に受け入れられるものを指す。
【背景技術】
【０００２】
台湾の気候は雨が多く、靴は常に雨に濡らされるのが正常であり、高値で大事な靴が雨に浸水され、湿ってカビが発生して使用の寿命が短縮し、知らないうちに廃棄物になってしまい、更にあなたの心情も影響される。現在市販される靴覆いの多くはオートバイ(auto bicycle)騎乗者のために作られ、それの外形は一般サラリーマン(salary man)に受け入れにくく、甚だしくはオートバイ騎乗者もそれの履き脱ぎが面倒であると認め、いっそのこと履かないで面倒を避け、全体的履物の組合せの美観を破壊することなく、かつ他人の異様な視線をひきつけないようにそれを履かないことにしている。
【考案の概要】
【０００３】
本考案の目的は人々に受け入れられ、オートバイ騎乗者に好かれる靴の雨避けを提供し、かつ外観及び履き脱ぎが不便であるために不平を抱くことなく、有効に防水して大事な靴を保護し、更にそれを推し広めて人々に幸福をもたらすことである。
【図面の簡単な説明】
【０００４】
【図１】本考案の靴の雨避けの分解図である。
【図２】本考案の靴の雨避けの平面組合せ図である。
【図３】本考案の靴の雨避けの応用例である。
【図４】本考案の靴の雨避けの別の応用例である。
【考案を実施するための形態】
【０００５】
本考案は現在の歩行者が歩行し、単車やオートバイ騎乗者の靴が雨に濡らされることを避け、かつ外観のよくない、履き脱ぎと収納が不便な伝統的靴の雨覆いを改善するために設計された製品である。
【０００６】
前記靴の雨避けの主要は３枚の靴覆い面を熱圧着によって短L形の靴の雨避け（図３、４、５の番号７）に一体成型され、その靴の雨避けは次のものを含む（図１を参照）。
【０００７】
第一靴覆い面1、それは四辺形に現れ、そのうち二つの対辺は弧形の外大弧と内小弧に現れる。別の二つの対辺はそれぞれ直線形の固接辺8と対接辺81に現われる。第一靴覆い面1の対接辺に近い個所には少なくとも一つの帯体4が設けられ、かつその帯体4には毛帯5（市場に使用されるマジックテープ(magic tape、登録商標)の如く）を備える。
【０００８】
第二靴覆い面2、それは四辺形に現れ、そのうち二つの対辺は弧形の外大弧と内小弧に現れる。別の二つの対辺はそれぞれ直線形の固接辺9と対接辺91に現われる。第二靴覆い面2の対接辺に近い個所には第一靴覆い面1の帯体の数に対応するせん毛6（市場に使用されるマジックテープの如く）が設けられ、せん毛6と毛帯5は接着固定することができる。
【０００９】
第三靴覆い面3、それの一辺は半弧状に現われ、他の一辺は直線に現われる。
【００１０】
組合せ時、第一靴覆い面1の固接辺8と第二靴覆い面2の固接辺9は固定結合することができ（縫い付け、粘着、止め接ぎ、熱圧着等各種方法を用いることができ、それは本考案の範囲を制限するものでない）。前記第三靴覆い面3の半弧面はそれぞれ第一靴覆い面1の外大弧の固接辺に近い個所、及び第二靴覆い面2の外大弧の固接辺に近い個所と結合し（縫い付け、粘着、止め接ぎ、熱圧着等各種方法を用いることができ、それは本考案の範囲を制限するものでない）、その結合方式は図２に示す如くである。
【００１１】
第一靴覆い面1及び第二靴覆い面2は熱圧着によって短L形靴覆いに一体成型される。
【００１２】
図３、４及び５を参照する。本考案では図２の形式を突っ張り開けて図３に示す形式に形成され、前記靴覆いの主要は第一靴覆い面1及び第二靴覆い面2の間に履き付け口66が形成される。使用するとき、使用者は靴先個所を第三靴覆い面3に入れて靴を固定する（図４を参照する）。更に第一靴覆い面1から使用者の靴のかかとから足首へ巡りまわし、第一靴覆い面1の帯体4の毛帯5と第二靴覆い面2のせん毛6とを結合固定する（図５を参照する）。その締まり緩めの差異は第一靴覆い面1の帯体4の前後で調整し（基本的に三つの靴番をもって製品のサイズ(size)を表す）、特に歩行者の履き脱ぎの便利のため、並びに外観を気にして設計された短L靴管、及びプレス(press)成型された靴覆いの弧形帯体は本体をますます流暢に現す。
【考案の開示】
【考案の効果】
【００１３】
上記靴の雨避けが達成する予期的効果は図２、３及び４を参考にして説明する。
【００１４】
図２に示すように、本考案の靴の雨避けの本体は靴よりやや大きい態様を採用するよう建言する。その目的は図３と図４に示すように履き付け及び脱ぎ出しの順調さを増やすことである。使用時は第一靴覆い面1の外大弧個所及び第二靴覆い面2の外大弧個所と靴底の縁を切り合わせる。第一靴覆い面1からかかとを足首まで巡りまわし、第一靴覆い面1の帯体4内の毛帯5とせん毛6を結合させ、靴を有効に保護する。
【００１５】
本考案の靴覆い面1、2及び靴先底部3はすべて薄いプラスチック(plastic)のシート(sheet)を採用して製造され、その過程は一体成型の設計である。結合個所は更に加工処理を行うので、靴先底部3の靴先固定及び毛帯5の結合固定により、靴の雨避けは靴本体を有効に保護することができる。靴覆い面3底部の靴先個所の主な機能は固定である。
【符号の説明】
【００１６】
1    第一靴覆い面
2    第二靴覆い面
3    靴先底部
4    帯体
5    毛帯
6    せん毛
66   履き付け口
8    固接辺
81   対接辺
9    固接辺
91   対接辺
【図１】
0003170303.tif 000003
【図２】
0003170303.tif 000004
【図３】
0003170303.tif 000005
【図４】
0003170303.tif 000006
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
シート状に形成され、その外縁に、弧状の外大弧と、この外大弧に対向する弧状の内小弧と、外大弧の一端と内小弧の一端とを接続する直線状の直線部と、この直線部に対向して外大弧の他端から延びる直線状の対接部とを有する第一靴覆い面と、
第一靴覆い面の対接部に近い個所に設けられ、フック状に起毛された一方の面ファスナーを有する帯体と、
シート状に形成され、その外縁に、弧状の外大弧と、この外大弧に対向する弧状の内小弧と、外大弧の一端と内小弧の一端とを接続する直線状の直線部と、この直線部に対向して外大弧の他端から延びる直線状の対接部とを有する第二靴覆い面と、
前記第二靴覆い面の対接部に近い個所に設けられ、ループ状に密集して起毛された他方の面ファスナーと、
シート状に形成され、その外縁に、半弧状の辺と、その半弧状の辺の両端を接続する直線状の辺とを有する第三靴覆い面と、
を備え、
前記第一靴覆い面の直線部と前記第二靴覆い面の直線部とを結合し、
前記第一靴覆い面の外大弧の直線部に近い個所、及び前記第二靴覆い面の外大弧の直線部に近い個所と、前記第三靴覆い面の半弧状の辺とを結合することで、前記第一靴覆い面と前記第二靴覆い面と前記第三靴覆い面とを一体に成形したことを特徴とする靴の雨避け。
【請求項２】
前記靴の雨避けを組み合わせる場合、前記第一靴覆い面の直線部と前記第二靴覆い面の直線部とが固定結合され、前記第三靴覆い面の半弧状の辺は前記第一靴覆い面の外大弧の直線部に近い個所、及び第二靴覆い面の外大弧の直線部に近い個所と結合することを特徴とする請求項１記載の靴の雨避け。
【請求項３】
前記結合方式は縫い付け、粘着、止め接ぎ、熱圧着を含むことを特徴とする請求項１記載の靴の雨避け。
【請求項４】
前記帯体の有するフック状に起毛された一方の面ファスナーと、前記第二靴覆い面に設けられたループ状に密集して起毛された他方の面ファスナーとは、マジックテープ（登録商標）を構成することを特徴とする請求項１記載の靴の雨避け。
【請求項５】
前記第一靴覆い面、前記第二靴覆い面及び前記第三靴覆い面は薄いプラスチックのシートであることを特徴とする請求項１記載の靴の雨避け。
【手続補正２】
【補正対象書類名】明細書
【補正対象項目名】全文
【補正方法】変更
【補正の内容】
【考案の詳細な説明】
【技術分野】
【０００１】
本考案は靴を保護する雨避け覆いに関し、それは（靴の雨避け）に命名され、それの最大の違いは加工がより簡単便利であり、履き脱ぎと収納も容易で、特に外形は多くの人々に受け入れられるものを指す。
【背景技術】
【０００２】
台湾の気候は雨が多く、靴は常に雨に濡らされるのが正常であり、高値で大事な靴が雨に浸水され、湿ってカビが発生して使用の寿命が短縮し、知らないうちに廃棄物になってしまい、更にあなたの心情も影響される。現在市販される靴覆いの多くはオートバイ騎乗者のために作られ、それの外形は一般サラリーマンに受け入れにくく、甚だしくはオートバイ騎乗者もそれの履き脱ぎが面倒であると認め、いっそのこと履かないで面倒を避け、全体的履物の組合せの美観を破壊することなく、かつ他人の異様な視線をひきつけないようにそれを履かないことにしている。
【考案の概要】
【０００３】
本考案の目的は人々に受け入れられ、オートバイ騎乗者に好かれる靴の雨避けを提供し、かつ外観及び履き脱ぎが不便であるために不平を抱くことなく、有効に防水して大事な靴を保護し、更にそれを推し広めて人々に幸福をもたらすことである。
【図面の簡単な説明】
【０００４】
【図１】本考案の靴の雨避けの分解図である。
【図２】本考案の靴の雨避けの平面組合せ図である。
【図３】本考案の靴の雨避けの応用例である。
【図４】本考案の靴の雨避けの別の応用例である。
【考案を実施するための形態】
【０００５】
本考案は現在の歩行者が歩行し、単車やオートバイ騎乗者の靴が雨に濡らされることを避け、かつ外観のよくない、履き脱ぎと収納が不便な伝統的靴の雨覆いを改善するために設計された製品である。
【０００６】
前記靴の雨避けの主要は３枚の靴覆い面を熱圧着によって靴の雨避けに一体成型され、その靴の雨避けは次のものを含む（図１を参照）。
【０００７】
第一靴覆い面１、それはシート状に形成され、そのうち二つの対辺は弧形の外大弧と内小弧である。別の二つの対辺はそれぞれ直線形の直線部８と対接部８１である。第一靴覆い面１の対接部に近い個所には少なくとも一つの帯体４が設けられ、かつその帯体４にはフック状に起毛された一方の面ファスナー５（市場に使用されるマジックテープ（登録商標）の如く）を備える。
【０００８】
第二靴覆い面２、それはシート状に形成され、そのうち二つの対辺は弧形の外大弧と内小弧である。別の二つの対辺はそれぞれ直線形の直線部９と対接部９１である。第二靴覆い面２の対接部に近い個所には第一靴覆い面１の帯体の数に対応するループ状に密集して起毛された他方の面ファスナー６（市場に使用されるマジックテープの如く）が設けられ、ループ状に密集して起毛された他方の面ファスナー６とフック状に起毛された一方の面ファスナー５とは接合することができる。
【０００９】
第三靴覆い面３、それの一辺は半弧状であり、他の一辺は直線状である。
【００１０】
組合せ時、第一靴覆い面１の直線部８と第二靴覆い面２の直線部９とは結合される（縫い付け、粘着、止め接ぎ、熱圧着等各種方法を用いるごとができ、それは本考案の範囲を制限するものでない）。前記第三靴覆い面３の半弧状の辺は第一靴覆い面１の外大弧の直線部に近い個所、及び第二靴覆い面２の外大弧の直線部に近い個所と結合し（縫い付け、粘着、止め接ぎ、熱圧着等各種方法を用いることができ、それは本考案の範囲を制限するものでない）、その結合方式は図２に示す如くである。
【００１１】
第一靴覆い面１及び第二靴覆い面２は熱圧着によって靴覆いに一体に成形される。
【００１２】
図３、４を参照する。本考案では図２の形式を突っ張り開けて図３に示す形式に形成され、前記靴覆いの主要は第一靴覆い面１及び第二靴覆い面２の間に履き付け口６６が形成される。使用するとき、使用者は靴先個所を第三靴覆い面３に入れて靴を固定する（図３を参照する）。更に第一靴覆い面１から使用者の靴のかかとから足首へ巡りまわし、第一靴覆い面１の帯体４のフック状に起毛された一方の面ファスナー５と第二靴覆い面２のループ状に密集して起毛された他方の面ファスナー６とを結合固定する（図４を参照する）。その締まり緩めの差異は第一靴覆い面１の帯体４の前後で調整し（基本的に三つの靴番をもって製品のサイズを表す）、特に歩行者の履き脱ぎの便利のため、並びに外観を気にして設計された短Ｌ靴管、及びプレス成型された靴覆いの弧形帯体は本体をますます流暢に現す。
【考案の開示】
【考案の効果】
【００１３】
上記靴の雨避けが達成する効果を図２、３及び４を参考にして説明する。
【００１４】
図２に示すように、本考案の靴の雨避けの本体は靴よりやや大きい態様を採用する。その目的は図３と図４に示すように履き付け及び脱ぎ出しの順調さを増やすことである。使用時は第一靴覆い面１の外大弧個所及び第二靴覆い面２の外大弧個所と靴底の縁を切り合わせる。第一靴覆い面１からかかとを足首まで巡りまわし、第一靴覆い面１の帯体４内のフック状に起毛された一方の面ファスナー５とループ状に密集して起毛された他方の面ファスナー６を結合させ、靴を有効に保護する。
【００１５】
本考案の靴覆い面１、２及び靴先底部３はすべて薄いプラスチックのシートを採用して製造され、その過程は一体成型の設計である。結合個所は更に加工処理を行うので、靴先底部３の靴先固定及びフック状に起毛された一方の面ファスナー５の結合固定により、靴の雨避けは靴本体を有効に保護することができる。靴覆い面３底部の靴先個所の主な機能は固定である。
【符号の説明】
【００１６】
１    第一靴覆い面
２    第二靴覆い面
３    靴先底部
４    帯体  
５    フック状に起毛された一方の面ファスナー
６    ループ状に密集して起毛された他方の面ファスナー
６６  履き付け口
８    直線部
８１  対接部
９    直線部
９１  対接部